(57)【特許請求の範囲】
【請求項１】
空気清浄機本体を搭載し、前面に空気吸込み用の開口部が形成された筐体と、
上記筐体との距離を自在に変化させ、当該筐体の上記開口部を前方から覆うと共に、上記筐体との間に上記開口部に連通する吸気口を少なくとも前面下部及び前面左右に形成する前面パネルと、を備え、
上記前面パネルは、前面左右の両端部が上記筐体側に向かって屈曲されており、
上記両端部は、上記筐体に接触することで、上記前面パネルによって形成される前面左右の吸気口を塞ぐことを特徴とする空気清浄機。
【請求項２】
上記前面パネルは、上記筐体の上記開口部に対向する面とは反対側の面に梁が形成されていることを特徴とする請求項１に記載の空気清浄機。
【請求項３】
上記前面パネルは、上記筐体の上記開口部に対向する面に梁が形成されており、
上記梁は、上記筐体の上記開口部が形成された面に沿って傾斜されていることを特徴とする請求項１または２に記載の空気清浄機。
【発明の詳細な説明】
【技術分野】
【０００１】
本発明は、清浄対象となる空気を前面から吸込む空気清浄機に関する。
【背景技術】
【０００２】
空気清浄機は、吹出し口から風速の早い風を送り出すことで空間に循環気流を作り、その気流に乗った微細な埃や塵を吸込み口から吸込み、フィルタで濾し取る装置である。
【０００３】
近年、床上の埃が吸込み易いことから、空気を前面から吸込み、天面から排気する空気清浄機が提案されている。
【０００４】
特許文献１には、床上近傍の空気の吸込み風量を十分にするために、前面上部の吸気口の開口面積を低減させて、前面下部からの空気の吸込み風量を増加させた空気清浄機が提案されている。
【先行技術文献】
【特許文献】
【０００５】
【特許文献１】特開２０１３−２１７５７１号公報（２０１３年１０月２４日公開）
【発明の概要】
【発明が解決しようとする課題】
【０００６】
しかしながら、上述のような従来技術では、前面上部の吸気口の開口面積を低減させているだけであり、他の吸気口（例えば前面左右の吸気口）からの空気の吸込みによって前面下部の吸気口からの空気の吸込み風量を十分に増加させることができないという問題がある。
【０００７】
本発明は、前記の問題点に鑑みてなされたものであり、その目的は、前面下部の吸気口からの空気の吸込み風量（吸引力）を十分に増加させることのできる空気清浄機を実現することにある。
【課題を解決するための手段】
【０００８】
上記の課題を解決するために、本発明の一態様に係る空気清浄機は、空気清浄機本体を搭載し、前面に空気吸込み用の開口部が形成された筐体と、上記筐体との距離を自在に変化させ、当該筐体の上記開口部を前方から覆うと共に、上記筐体との間に上記開口部に連通する吸気口を少なくとも前面下部及び前面左右に形成する前面パネルと、を備え、上記前面パネルは、前面左右の両端部が上記筐体側に向かって屈曲されており、上記両端部は、上記筐体に接触することで、上記前面パネルによって形成される前面左右の吸気口を塞ぐことを特徴としている。
【発明の効果】
【０００９】
本発明の一態様によれば、前面パネルによって形成される前面左右の吸気口が塞がれていることで、前面下部の吸気口における空気の吸込み風量を十分に増加させることができるという効果を奏する。
【図面の簡単な説明】
【００１０】
【図１】本発明の実施形態１に係る空気清浄機の概略構成図である。
【図２】前面パネルを配置した空気清浄機の吸気方向を説明するための図である。
【図３】図１に示す空気清浄機の変形例を示す概略構成図である。
【図４】本発明の実施形態２に係る空気清浄機の概略構成図である。
【図５】集塵フィルタと風路との関係を示す図である。
【図６】図４に示す空気清浄機における集塵フィルタの配置例を説明するための図である。
【図７】本発明の実施形態３に係る空気清浄機の風路における前面パネルによる圧損の解消を説明するための図である。
【図８】本発明の実施形態３に係る空気清浄機の風路における前面パネルによる圧損の解消を説明するための他の図である。
【図９】図８の（ａ）に示す前面パネルの構造を説明する概略構成図である。
【図１０】図８の（ａ）に示す前面パネルの他の構造を説明する概略構成図である。
【図１１】一般的な空気清浄機の排気口に設けられたルーバーの動作を説明するための図である。
【図１２】本発明の実施形態４に係る空気清浄機の排気口に設けられたルーバーの動作を説明するための図である。
【図１３】本発明の実施形態５に係る空気清浄機の前面パネルの動作を説明するための図である。
【発明を実施するための形態】
【００１１】
〔実施形態１〕
本発明の実施の形態について説明すれば以下の通りである。本実施形態では、前面から吸気し、天面から排気して室内の空気を循環させながら、空気に含まれる埃や塵を濾し取り、時には静電霧化現象を利用した荷電微粒子（イオン）を付加して、清浄な空気を排出する空気清浄機を例に説明する。
【００１２】
（空気清浄機の概要）
図１は、本発明の一実施形態に係る空気清浄機の概略構成を示す図である。
【００１３】
図２は、前面パネルを配置した空気清浄機の吸気方向を説明するための図である。
【００１４】
本実施形態に係る空気清浄機は、図１の（ａ）（ｂ）に示すように、空気清浄装置（図示せず）と、静電霧化装置とを備え、前面に空気吸込み用の開口部１１と、天面に空気排出用の排気部１２とが形成された筐体１と、筐体１の前面の開口部１１を覆うと共に、上記筐体１との間に上記開口部１１に連通する吸気口を形成する前面パネル２とを備えている。前面パネル２は筐体１との距離を自在に変化させることが可能である。
【００１５】
ここで、前面パネル２によって形成される吸気口は、図２に示すように、正面から見て上下左右の４方向に形成され、この４方向から空気を吸込むようになっている。つまり、前面パネル２によって、正面からみて、下側の第１吸気口１１ａ、左側の第２吸気口１１ｂ、右側の第３吸気口１１ｃ、上側の第４吸気口１１ｄが形成される。
【００１６】
本実施形態では、４方向の吸気口のうち、少なくとも左右方向の吸気口（第２吸気口１１ｂ、第３吸気口１１ｃ）を塞がれている状態とすることで、下側の第１吸気口１１ａにおける空気の吸引力（風量）を増加させる。当然、第４吸気口１１ｄは閉じられていないため、この第４吸気口１１ｄからの空気の吸引は継続されている。なお、第４吸気口１１ｄからの空気の吸込み量は少ないため、第１吸気口１１ａからの空気の吸込みに影響はない。但し、この第４吸気口１１ｄを塞ぐことで、第１吸気口１１ａからの空気の吸込み力をさらにアップできる。
【００１７】
具体的には、図１の（ｂ）に示すように、前面パネル２の側面に、上記前面左右の吸気口を塞ぐシャッタ３を設ける。これにより、左右方向の第２吸気口１１ｂ、第３吸気口１１ｃを塞ぐことで、下方向に形成された第１吸気口１１ａからの空気の吸引力を増加させることができる。
【００１８】
シャッタ３は、図１の（ａ）に示すように、筐体１側に埋込み、必要に応じて前面パネル２側に飛び出すように構成していてもよい。また、シャッタ３は、前面パネル２側に設けてもよい。
【００１９】
（前面パネルの他の例）
前面パネル２の他の例としては、図３の（ａ）（ｂ）に示すように、断面略コ字状の前面パネル２１を用いてもよい。この前面パネル２１は、図１の（ａ）に示すシャッタ３を前面パネル２と一体的に形成した構造となっている。
【００２０】
図３の（ａ）（ｂ）は、筐体１の天面側からみた図である。図３の（ａ）に示す状態では、前面パネル２１と筐体１との間には隙間が形成されているため、上下左右の吸気口（第１吸気口１１ａ、第２吸気口１１ｂ、第３吸気口１１ｃ、第４吸気口１１ｄ）から空気を吸い込むようになっている。このため、下側に形成される第１吸気口１１ａからの空気の吸引力は大きくならない。これに対して、図３の（ｂ）に示す状態では、前面パネル２１の両端部２１ａ・２１ａが筐体１の前面に接触しているため、左右の吸気口（第２吸気口１１ｂ、第３吸気口１１ｃ）が塞がれる。これにより、下側に形成される第１吸気口１１ａからの空気の吸引力を大きくすることができる。
【００２１】
なお、第１吸気口１１ａからの空気の吸引力をアップさせるためには、例えば、床の埃を吸引するための吸引モードを設定することが考えられる。この場合、吸引モードは、床の埃をセンサにより検知したときに作動させるようにしてもよいし、ユーザ自身によって埃を見つけたときに作動させるようにしてもよい。つまり、吸引モードが作動すれば、シャッタ３を閉じるようにすればよい。吸引モードがなければ、他のモード（花粉除去モード）等を作動させたときにシャッタ３を閉じるようにしてもよい。
【００２２】
（効果）
上記の構成によれば、前面パネル２によって形成される前面左右の吸気口（第２吸気口１１ｂ、第３吸気口１１ｃ）を塞ぐようになっているので、前面下部の第１吸気口１１ａにおける吸引力を十分に向上させることができる。これにより、大きい埃の捕集効率を向上させることができる。
【００２３】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００２４】
（空気清浄機の概要）
通常、空気清浄機では、図４の（ａ）に示すように、第１吸気口１１ａと開口部１１とを連通した第１風路１０１と、上記第１風路１０１から筐体１の内部に連通する第２風路１０２とのなす角度（入射角）αはほぼ９０°になっている。つまり、第１風路１０１は、集塵フィルタ１３の手前でほぼ９０°に折れ曲がって第２風路１０２に連通している。このため、第１風路１０１から導入された空気は９０°に折れ曲がった箇所で圧損が増大するので、第１吸気口１１ａからの空気の吸引力が低下する。
【００２５】
そこで、本実施形態に係る空気清浄機では、図４の（ｂ）に示すように、筐体１の前面下部に、前面パネル２に向かって斜め下方に傾斜した傾斜部１ａが形成されていることで、第１吸気口１１ａと開口部１１とを連通した第１風路１０１と、上記第１風路１０１から筐体１の内部に連通する第２風路１０２とのなす角度αを鈍角にしている。つまり、第１風路１０１は、集塵フィルタ１３の手前で鈍角に折れ曲がって第２風路１０２に連通している。このため、第１風路１０１から導入された空気は９０°に折れ曲がった場合よりも、圧損が低減されるので、第１吸気口１１ａからの空気の吸引力が増加する。傾斜部１ａは前方に張り出すほど角度αを鈍角に形成できるが、前方に張り出すほど空気清浄機の接地面積が大きくなるので、双方を考慮した傾斜部であれば望ましい。もしくは、運転停止中は空気清浄機の本体側に寄せられ、運転中は前方に張り出すように傾斜部を可動とするのもよい。
【００２６】
図４の（ｂ）に示す例では、風路における圧損を低減させるために、第１風路１０１を、第１吸気口１１ａから導入された空気の上記開口部１１への入射角が鈍角となるように傾斜させているが、これに限定されるものではなく、第１風路１０１から筐体１の内部に連通する上記第２風路１０２を、第１吸気口１１ａから導入された空気の上記開口部１１への入射角が鈍角となるように傾斜させてもよい。
【００２７】
このように、第１風路１０１と第２風路１０２とでなす角（入射角）を鈍角化するために、第１風路１０１を傾けてもよいし、第２風路１０２を傾けてもよい。第２風路１０２を傾けた場合、第２風路１０２上に配置されている集塵フィルタ１３の形状や配置を考慮することで、さらに圧損を低減させることが可能となる。この点について以下に説明する。
【００２８】
（風路の鈍角化（１）：集塵フィルタの形状）
集塵フィルタ１３は、通常、図５の（ａ）に示すように、シートを蛇腹状に折り畳んでプリーツ状に形成されている。プリーツ１３ａは、フィルタの強度向上と、通風方向に指向性を持たせるためのものである。従って、プリーツ１３ａの頂部に対して垂直に風が通り抜けるようにした場合、圧損が最小となる。
【００２９】
図５の（ａ）では、第１風路１０１と第２風路１０２とでなす角βを、第１風路１０１を傾けて鈍角化させた場合に、集塵フィルタ１３による圧損を最小となるように、当該集塵フィルタ１３を配置した例を示している。
【００３０】
これに対して、図５の（ｂ）では、第１風路１０１と第２風路１０２とでなす角βを、第２風路１０２を傾けて鈍角化させた場合に、集塵フィルタ２３による圧損を最小となるように、当該集塵フィルタ２３を配置した例を示している。この場合の集塵フィルタ２３は、第２風路１０２の傾斜に合わせて、第２風路１０２に導かれた空気がプリーツ２３ａの頂部を通るように、当該プリーツ２３ａの形状を変えている。
【００３１】
なお、第２風路１０２を傾斜させて、第１風路１０１と第２風路１０２とでなす角βを鈍角化させた場合、上記のように集塵フィルタ２３のプリーツ２３ａの形状を変えて集塵フィルタによる圧損を低減させるようにしているが、以下では、集塵フィルタの配置を変更することで、集塵フィルタによる圧損を低減させる例について説明する。
【００３２】
（風路の鈍角化（２）：集塵フィルタの配置）
図６の（ａ）は、第２風路１０２上に、通風による圧損が最小となるように、高圧損の集塵フィルタ１３が傾斜配置されている例を示している。
【００３３】
図６の（ｂ）は、第２風路１０２上に沿って集塵フィルタ１３が２分割されている例を示している。
【００３４】
何れの例においても、集塵フィルタ１３は、図５の（ａ）と同じ構造であり、第２風路１０２に導かれた空気が当該集塵フィルタ１３に対して垂直に通過するように配置されている。但し、図６の（ｂ）に示すように、集塵フィルタ１３を２分割して傾斜させた方が、図６の（ａ）に示すように、集塵フィルタ１３を分割せずに傾斜させた場合よりも、筐体１の前後方向の幅を狭めることができる。
【００３５】
（効果）
以上のように、集塵フィルタによる圧損を低減させることにより、空気清浄機における構造圧損をさらに低減できるため、第１吸気口１１ａからの空気の吸引力を増加させることができる。
【００３６】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００３７】
（空気清浄機）
通常、空気清浄機において、前面パネル２の裏面（筐体１に対向する面）には、図７の（ａ）に示すように、略直方体状の梁２３が形成されている。このため、第１吸気口１１ａから開口部１１に連通する第１風路１０１内に上記梁２３が存在することになり、風の流れの妨げとなり、効率的に埃を吸込むことができない。
【００３８】
そこで、図７の（ａ）に示すように、筐体１の開口部１１に対向する面（裏面）２ａとは反対側の面（表面）２ｂに梁２３を形成した前面パネル２を用いることで、当該前面パネル２の裏面２ａから梁２３を無くすことが考えられる。これにより、第１風路１０１内において風の流れが妨げられないので、圧損が生じず、効率的に埃を吸込むことができる。
【００３９】
このように、第１風路１０１内において風の流れが妨げられないようにすることで、吸込みのためのモータを高出力にする必要がなくなるため、騒音を低減し、且つ消費電力を低減することができる。
【００４０】
（前面パネルの例）
前面パネル２の形状としては、図７の（ｂ）に示すように、裏面２ａから梁２３を無くした構造に限定されるものではなく、第１風路１０１内において風の流れが妨げられない構造であればどのような構造であってもよい。
【００４１】
例えば、図８の（ａ）に示すように、筐体１の開口部１１が形成された面に沿って傾斜されている梁２４を前面パネル２の裏面２ａに形成してもよい。つまり、第１風路１０１における風の流れの下流側から上流側に向かって低くなるように傾斜した梁２４を前面パネル２の裏面２ａに形成してもよい。この場合、図７の（ａ）に示すように、傾斜面を持たない梁２３が形成された前面パネル２よりも第１風路１０１内において風の流れが妨げられない。
【００４２】
さらに、図８の（ｂ）に示すように、図７の（ａ）に示す前面パネル２に、当該梁２３を覆い、且つ、上記筐体１の上記開口部１１が形成された面に沿って傾斜された整流板３０を形成してもよい。この場合も、図７の（ｂ）に示すように、前面パネル２の裏面２ａに梁を形成しない場合と同様の効果を奏する。
【００４３】
図９は、図８の（ａ）にしめす前面パネル２の構造を説明するための図である。図９の（ａ）に示すように、前面パネル２の裏面２ａには、左右方向に延びる２本の梁２４と、この２本の梁２４を繋ぐ上下方向に延びる１本の梁２５とが形成されている。梁２４，２５は、図９の（ｂ）（ｃ）に示すように、前面パネル２の裏面２ａにおいて、傾斜して形成されている。これにより、梁２４，２５に起因する風の流れの妨げを低減することができる。
【００４４】
また、図１０の（ａ）（ｂ）に示すように、上下に延びる梁２５を、前面パネル２の裏面２ａの側面側に配置するようにしてもよい。この場合、図１０の（ｂ）に示す断面形状は、前記実施形態１の図３の（ａ）（ｂ）に示す前面パネル２１と同じ断面略コ字状となる。
【００４５】
（効果）
以上のように、前面パネル２の強度を維持しながら、第１風路１０１内において風の流れが妨げられない構造とすることで、吸込みのためのモータを高出力にする必要がなくなるため、騒音を低減し、且つ消費電力を低減することができる。
【００４６】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【００４７】
（空気清浄機の排気口周辺構造（比較例））
通常、図１１に示すように、空気清浄機の天面に形成された排気部１２は、２つの開口部１２ａ，１２ｂを有し、これら開口部１２ａ，１２ｂを開閉するためのルーバー４１，４２がそれぞれ設けられている。
【００４８】
図１１の（ａ）は、空気清浄機の運転時であって、ルーバー４１、４２が回動し、開口部１２ａ，１２ｂを開放している状態を示し、図１１の（ｂ）は、空気清浄機の運転停止時であって、ルーバー４１、４２が回動し、開口部１２ａ，１２ｂを閉塞している状態を示している。
【００４９】
通常、天面から排気して室内の空気を循環させる必要があるため、筐体１の天面は室内に向かって斜めに傾斜されている。このため、図１１の（ｂ）に示すように、ルーバー４１、４２によって開口部１２ａ，１２ｂを閉じても、筐体１の段差部１ｂによって隙間が生じる。空気清浄機の運転停止時に、この隙間から埃や塵などが入り込む虞がある。そのため、次回、空気清浄機を運転する際に、内部に入り込んだ埃や塵を排気部１２から排出することになる。
【００５０】
（空気清浄機の排気口周辺構造（本実施形態））
そこで、図１２の（ａ）（ｂ）に示すように、図１１の（ａ）（ｂ）に示すルーバー４１の代わりに、段差部１ｂを覆うルーバー４３を用いる。これにより、排気部１２の開口部１２ａを覆う際に、段差部１ｂも覆うように、ルーバー４３が構成されているため、空気清浄機の運転停止時に、埃や塵などが入り込む隙間が生じない。
【００５１】
上記ルーバー４３は、筐体１の段差部１ｂを覆う形状であれば、どのような形状でもよく、例えば、図１２の（ｂ）に示すように、箱形の形状で、側面４３ａ・４３ａが斜めに傾斜した構造であって、当該箱の内側にて上記段差部１ｂを覆うようにした構造であってもよい。
【００５２】
（効果）
運転停止時に、天面に形成された排気口からの埃の侵入を抑制し、次回の運転時に埃を吐き出さない空気清浄機を実現することができる。
【００５３】
〔実施形態５〕
本発明の他の実施形態について説明すれば、以下のとおりである。なお、説明の便宜上、前記実施形態にて説明した部材と同じ機能を有する部材については、同じ符号を付記し、その説明を省略する。
【００５４】
（空気清浄機の前面パネルの開放制御）
空気清浄機は、前記実施形態１の図２に示すように、前面パネル２によって形成される吸気口は、正面から見て上下左右の４方向に形成され、この４方向から空気を吸込むようになっている。つまり、前面パネル２によって、正面からみて、下側の第１吸気口１１ａ、左側の第２吸気口１１ｂ、右側の第３吸気口１１ｃ、上側の第４吸気口１１ｄが形成される。なお、本実施形態に係る空気清浄機は、前面パネル２を左右独立駆動させることで、一方の吸気口の面積を大きく、他方の吸気口の面積を小さくできるようになっている。
【００５５】
空気清浄機は、設置場所によって適切な吸気が行えない場合がある。例えば、空気清浄機を、第３吸気口１１ｃ側に壁があるような位置に配置した場合、当該第３吸気口１１ｃからは空気を適切に吸込むことができない。同様に、第２吸気口１１ｂ側に壁があるような位置に配置した場合、当該第２吸気口１１ｂからは空気を適切に吸込むことができない。このように、適切に空気を吸い込めない吸気口があれば、空気清浄機全体における吸気がうまく行うことができないため、空気清浄を適切に行うことができない。
【００５６】
そこで、空気清浄機が設置されたときに、側面が壁に隣接しているか否かを判断し、側面が壁にあれば、壁側の吸気口を閉じるように前面パネルを駆動させる。
【００５７】
例えば図１３の（ａ）に示すように、第２吸気口１１ｂ側に壁２００が隣接するように、空気清浄機１００を設置した場合、壁２００とは反対側の第３吸気口１１ｃの開口面積が大きくなるように、前面パネル２を駆動させる。また、図１３の（ｂ）に示すように、第３吸気口１１ｃ側に壁２００が隣接するように、空気清浄機１００を設置した場合、壁２００とは反対側の第２吸気口１１ｂの開口面積が大きくなるように、前面パネル２を駆動させる。
【００５８】
空気清浄機が壁と隣接して使用されているか否かを認識する手段としては、以下の３通りがある。
【００５９】
（１）空気清浄機自体に赤外センサ等の空間認識機能を備える。
【００６０】
（２）ロボット掃除機等、他の空間認識機能を有する家電とリンクすることで認識する。
【００６１】
（３）ユーザが情報を空気清浄機にインプットする。壁際モードを設け、左右何れの側面が壁に隣接しているかをユーザ自身が設定する。
【００６２】
なお、認識する手段としては、以下の３通りに限定されるものではなく、空気清浄機が壁と隣接して使用されているか否かを認識できれば、他の手段であってもよい。
【００６３】
（効果）
空気清浄機が壁際に設置された場合であっても、壁に隣接する吸気口の面積を小さく、壁と反対の吸気口の面積を大きくするように、前面パネル２を駆動させることで、壁に邪魔されずに、最大のパフォーマンスを発揮できる。
【００６４】
〔まとめ〕
本発明の態様１に係る空気清浄機は、空気清浄機本体を搭載し、前面に空気吸込み用の開口部１１が形成された筐体１と、上記筐体１の上記開口部１１を前方から覆うと共に、上記筐体１との間に上記開口部１１に連通する吸気口（第１吸気口１１ａ、第２吸気口１１ｂ、第３吸気口１１ｃ、第４吸気口１１ｄ）を少なくとも前面下部及び前面左右に形成する前面パネル２と、を備え、上記前面パネルは上記筐体との距離を自在に変化させ、上記前面パネル２によって形成される前面左右の吸気口（第２吸気口１１ｂ、第３吸気口１１ｃ）は塞がれている状態を有することを特徴としている。
【００６５】
上記構成によれば、前面パネルによって形成される前面左右の吸気口が塞がれていることで、前面下部の吸気口における吸引力を向上させることができる。これにより、大きい埃の捕集効率を向上させることができる。
【００６６】
本発明の態様２に係る空気清浄機は、上記態様１において、上記前面左右の吸気口（第２吸気口１１ｂ、第３吸気口１１ｃ）を塞ぐシャッタ３が形成されていてもよい。
【００６７】
上記構成によれば、前面左右の吸気口（第２吸気口１１ｂ、第３吸気口１１ｃ）がシャッタ３によって塞がれるため、前面下部の吸気口における吸引力を確実に向上させることができる。これにより、大きい埃の捕集効率を向上させることができる。
【００６８】
本発明の態様３に係る空気清浄機は、上記態様２において、上記シャッタ３は、上記筐体１に収納自在に設けられていてもよい。
【００６９】
上記構成によれば、シャッタ３を筐体に収納できるため、左右の吸気口を必要に応じて利用することができる。
【００７０】
本発明の態様４に係る空気清浄機は、上記態様２において、上記シャッタ３は、上記前面パネル２に一体的に形成されていることを特徴とする請求項２に記載の空気清浄機。
【００７１】
上記構成によれば、前面パネルを前後に動かすだけで、簡単に左右の吸気口を塞いだり、開放したりすることが可能となる。
【００７２】
本発明の態様５に係る空気清浄機は、上記態様１〜４の何れか１態様において、上記前面パネル２によって形成された吸気口（第１吸気口１１ａ、第２吸気口１１ｂ、第３吸気口１１ｃ、第４吸気口１１ｄ）と、上記筐体１の上記開口部１１とを連通してなる第１風路１０１と、上記第１風路１０１から上記筐体１内部に連通する第２風路１０２とのなす角度αが鈍角であることを特徴としている。
【００７３】
上記構成によれば、第１風路１０１から上記筐体１内部に連通する第２風路１０２とのなす角度αが鈍角であることであることで、風路において生じる圧損を低減させることができる。これにより、第１風路１０１から導入された空気が９０°に折れ曲がった場合よりも、圧損が低減されるので、吸気口からの空気の吸引力を増加させることが可能となる。
【００７４】
また、風路を鈍角化するには、第１風路１０１を傾斜させるか、第２風路１０２を傾斜させるか、あるいは第１風路１０１，第２風路１０２の両方を傾斜させるかになる。
【００７５】
本発明の態様６に係る空気清浄機は、上記態様５において、上記第１風路１０１を、上記吸気口（第１吸気口１１ａ、第２吸気口１１ｂ、第３吸気口１１ｃ、第４吸気口１１ｄ）から導入された風の上記開口部１１への入射角αが鈍角となるように傾斜させてもよい。
【００７６】
上記構成によれば、風路における圧損が低減されるので、吸気口からの空気の吸引力を増加させることが可能となる。
【００７７】
本発明の態様７に係る空気清浄機は、上記態様５において、上記第２風路１０２を、上記吸気口（第１吸気口１１ａ、第２吸気口１１ｂ、第３吸気口１１ｃ、第４吸気口１１ｄ）から導入された風の上記開口部１１への入射角αが鈍角となるように傾斜させてもよい。
【００７８】
上記構成によれば、風路における圧損が低減されるので、吸気口からの空気の吸引力を増加させることが可能となる。
【００７９】
本発明の態様８に係る空気清浄機は、上記態様７において、上記第２風路１０２上に、通風による圧損が最小となるように、高圧損の集塵フィルタ１３が傾斜配置されていてもよい。
【００８０】
上記構成によれば、高圧損の集塵フィルタにおける圧損が最小となるため、吸気口からの空気の吸引力を増加させることが可能となる。
【００８１】
本発明の態様９に係る空気清浄機は、上記態様８において、上記集塵フィルタ１３は、上記第２風路１０２上に沿って２分割されていてもよい。
【００８２】
上記構成によれば、筐体の前後の幅を小さくすることができる。
【００８３】
本発明の態様１０に係る空気清浄機は、上記態様１〜９の何れか１態様において、上記前面パネル２は、上記筐体１の上記開口部１１に対向する面（裏面２ａ）とは反対側の面（表面２ｂ）に梁２３が形成されていてもよい。
【００８４】
上記構成によれば、梁による第１風路１０１内において風の流れが妨げられないようにすることで、吸込みのためのモータを高回転にする必要がなくなるため、騒音を低減し、且つ消費電力を低減することができる。
【００８５】
本発明の態様１１に係る空気清浄機は、上記態様１〜９の何れか１態様において、上記前面パネル２は、上記筐体１の上記開口部１１に対向する面に梁２４が形成されており、上記梁２４は、上記筐体１の上記開口部１１が形成された面に沿って傾斜されていてもよい。
【００８６】
上記構成によれば、梁が筐体の開口部に対向する面に形成されていても、筐体の開口部１１が形成された面に沿って傾斜されているので、梁による第１風路１０１内において風の流れを妨げないようにすることが可能となる。
【００８７】
本発明の態様１２に係る空気清浄機は、上記態様１〜９の何れか１態様において、上記前面パネル２は、上記筐体１の上記開口部１１に対向する面に梁２３が形成されており、この梁２３を覆い、且つ、上記筐体１の上記開口部１１が形成された面（裏面２ａ）に沿って傾斜された整流板３０が形成さていてもよい。
【００８８】
上記構成によれば、前面パネル２の裏面２ａに梁を形成しない場合と同様の効果を奏する。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９０】
１  筐体
１ａ  傾斜部
１ｂ  段差部
２  前面パネル
２ａ  裏面
３  シャッタ
１１  開口部
１１ａ  第１吸気口
１１ｂ  第２吸気口
１１ｃ  第３吸気口
１１ｄ  第４吸気口
１２  排気部
１２ａ  開口部
１２ｂ  開口部
１３  集塵フィルタ
１３ａ  プリーツ
２１  前面パネル
２１ａ  端部
２３  集塵フィルタ
２３ａ  プリーツ
３０  整流板
４１  ルーバー
４２  ルーバー
４３  ルーバー
４３ａ・４３ａ  側面
１００  空気清浄機
１０１  第１風路
１０２  第２風路
α  角度（入射角）
【図１】
0006680572.tif 000002
【図２】
0006680572.tif 000003
【図３】
0006680572.tif 000004
【図４】
0006680572.tif 000005
【図５】
0006680572.tif 000006
【図６】
0006680572.tif 000007
【図７】
0006680572.tif 000008
【図８】
0006680572.tif 000009
【図９】
0006680572.tif 000010
【図１０】
0006680572.tif 000011
【図１１】
0006680572.tif 000012
【図１２】
0006680572.tif 000013
【図１３】
0006680572.tif 000014